(57)【要約】【課題】追い焚き循環路内の洗浄に要する時間や湯水を無駄にすることを防止する給湯器付風呂装置を提供する。【解決手段】熱交換部７を備えた給湯回路を有し、浴槽４に接続される追い焚き循環路１１は接続路２７を介して給湯回路と接続され、熱交換部により発生するドレンを追い焚き循環路に導くドレン導出路４２を有し、ドレンをドレン導出路と追い焚き循環路とを通し追い焚き循環路の外部に排出するドレン排出制御手段と、ドレン排出制御手段によってドレンを排出した後に、給湯回路から追い焚き循環路に通される湯水により追い焚き循環路内を洗浄する洗浄制御手段と、を備え、給湯器付風呂装置の電源を投入した後又はドレン排出制御手段によるドレン排出の中断後等に、追い焚き循環路内の洗浄を選択するか否かを報知する報知手段と、追い焚き循環路内の洗浄を行うか否か選択可能な選択手段４８とを設けた。【選択図】図１
2015075238.tif 000002
【特許請求の範囲】
【請求項１】
バーナの燃焼により発生する燃焼ガスから顕熱及び潜熱を回収する熱交換部が設けられた給湯回路を有すると共に、浴槽に接続される追い焚き循環路を有しており、該追い焚き循環路は、接続路を介して前記給湯回路と接続されて、前記熱交換部によって発生するドレンを前記追い焚き循環路に導くドレン導出路を有し、前記ドレンを、前記ドレン導出路と前記追い焚き循環路とを通して該追い焚き循環路の外部に排出するドレン排出制御手段と、該ドレン排出制御手段によって前記ドレンを排出した後に、前記給湯回路から前記接続路を介して前記追い焚き循環路に通される湯水によって該追い焚き循環路内を洗浄する洗浄制御手段と、を備えた給湯器付風呂装置であって、
前記給湯器付風呂装置の電源を投入した後又は前記ドレン排出制御手段による前記ドレンの排出の中断の後あるいは前記洗浄制御手段による前記追い焚き循環路内の洗浄の中断の後に、該追い焚き循環路内の洗浄を選択するか否かを報知する報知手段と、
前記追い焚き循環路内の洗浄を行うか否か選択可能な選択手段と、
を設けたことを特徴とする給湯器付風呂装置。
【請求項２】
前記報知手段として、前記追い焚き循環路内の洗浄を選択するか否かを音声で報知する発音装置を設けたことを特徴とする請求項１に記載の給湯器付風呂装置。
【請求項３】
前記報知手段として、前記追い焚き循環路内の洗浄を選択するか否かを発光によって報知する発光装置を設けたことを特徴とする請求項１に記載の給湯器付風呂装置。
【発明の詳細な説明】
【技術分野】
【０００１】
この発明は、ドレンを、浴槽に接続される追い焚き循環路を介して該追い焚き循環路の外部に排出するドレン排出制御手段と、該ドレン排出制御手段によって前記ドレンを排出した後に、前記追い焚き循環路に通される湯水によって該追い焚き循環路内を洗浄する洗浄制御手段と、を備えた給湯器付風呂装置に関する。
【背景技術】
【０００２】
例えば特許文献１には、浴槽に接続される追い焚き循環路内のドレンが、追い焚き循環路の外部へ排出されずに、前記追い焚き循環路を通して浴槽の湯張り等が行われることでドレンが浴槽湯水に混入することを防止した給湯器付風呂装置が開示されている。特許文献１の給湯器付風呂装置では、該給湯器付風呂装置の電源を投入した後や、ドレンを追い焚き循環路を通して浴室に排出するドレン排出機能の故障による停止時に出力されたエラー信号が解除された後、あるいはドレン排出機能によってドレンを排出した後に、追い焚き循環路に通される湯水によって該追い焚き循環路内を洗浄する洗浄機能の故障による停止時に出力されたエラー信号が解除された後に、必ず前記洗浄機能の動作を行うようにしている。これにより、ドレン排出機能の動作や洗浄機能の動作の途中で故障が生じた場合でも、追い焚き循環路内が洗浄されないままの状態になることがないため、追い焚き循環路内にドレンが残留したままで浴槽の湯張りが行われることがない。よって、ドレンが浴槽湯水に混入することを防止できる。
【先行技術文献】
【特許文献】
【０００３】
【特許文献１】特開２０１２−７７９８９号公報
【発明の概要】
【発明が解決しようとする課題】
【０００４】
しかしながら、上記の給湯器付風呂装置では、該給湯器付風呂装置の電源を投入した後や、ドレン排出機能あるいは洗浄機能の故障による停止時に出力されたエラー信号が解除された後には、必ず前記洗浄機能の動作を行わせて、追い焚き循環路内の洗浄を行うようにしていた。このような場合には、例えば、前記電源を投入する前にユーザが、ドレンの排出動作が行われていなかったために、追い焚き循環路内の洗浄を行う必要がないことを知っている場合でも、追い焚き循環路内の洗浄が行われることになる。このため、この洗浄に時間を要することが原因で、浴槽の湯張りが終わるまでに時間がかかったり、洗浄に費やす湯水が無駄になるという不都合があった。また、例えば、給湯器付風呂装置の故障によって、ドレンの排出動作が途中で中断したり、追い焚き循環路内の洗浄動作が途中で中断した場合でもユーザが、洗浄動作に費やす湯水を節約するために、追い焚き循環路内の洗浄を望まないこともあった。
【０００５】
この発明は、このような状況に鑑み提案されたものであって、追い焚き循環路内の洗浄を行うか否かを選択可能として、この洗浄に要する時間や該洗浄に費やす湯水を無駄にすることを防止する給湯器付風呂装置を提供することを目的とする。
【課題を解決するための手段】
【０００６】
上記目的を達成するために、請求項１に記載の発明は、バーナの燃焼により発生する燃焼ガスから顕熱及び潜熱を回収する熱交換部が設けられた給湯回路を有すると共に、浴槽に接続される追い焚き循環路を有しており、追い焚き循環路は、接続路を介して給湯回路と接続されて、熱交換部によって発生するドレンを追い焚き循環路に導くドレン導出路を有し、ドレンを、ドレン導出路と追い焚き循環路とを通して追い焚き循環路の外部に排出するドレン排出制御手段と、ドレン排出制御手段によってドレンを排出した後に、給湯回路から接続路を介して追い焚き循環路に通される湯水によって追い焚き循環路内を洗浄する洗浄制御手段と、を備えた給湯器付風呂装置であって、給湯器付風呂装置の電源を投入した後又はドレン排出制御手段によるドレンの排出の中断の後あるいは洗浄制御手段による追い焚き循環路内の洗浄の中断の後に、追い焚き循環路内の洗浄を選択するか否かを報知する報知手段と、追い焚き循環路内の洗浄を行うか否か選択可能な選択手段と、を設けたことを特徴とするものである。
請求項２に記載の発明は、請求項１に記載の構成において、報知手段として、追い焚き循環路内の洗浄を選択するか否かを音声で報知する発音装置を設けたことを特徴とするものである。
請求項３に記載の発明は、請求項１に記載の構成において、前記報知手段として、前記追い焚き循環路内の洗浄を選択するか否かを発光によって報知する発光装置を設けたことを特徴とするものである。
【発明の効果】
【０００７】
請求項１に記載の発明によれば、ユーザは、報知手段の報知内容を確認することで、追い焚き循環路内の洗浄を選択できることを簡単に知ることができる。
加えて、ユーザは、選択手段を用いることで、追い焚き循環路内の洗浄を行うか否かを自由に選択できる。よって、例えばユーザが、前記追い焚き循環路内の洗浄を必要としない場合には、該洗浄を選択しなければ、給湯器付風呂装置の電源投入後や、ドレンの排出の中断後あるいは前記洗浄の中断後に必ず前記洗浄が行われる場合と比較して、不必要な追い焚き循環路内の洗浄に要する時間の無駄を廃して、浴槽の湯張りが終わるまでの時間が延びることを防止できる。また、前記洗浄に費やす湯水を無駄にすることを防止できる。
請求項２に記載の発明によれば、ユーザは、発音装置からの音声を確認することで、追い焚き循環路内の洗浄を選択するか否かを簡単に知ることができる。
請求項３に記載の発明によれば、ユーザは、発光装置の発光を確認することで、追い焚き循環路内の洗浄を選択するか否かを簡単に知ることができる。
【図面の簡単な説明】
【０００８】
【図１】本発明の実施形態の給湯器付風呂装置の概略システム図である。
【図２】給湯器付風呂装置において追い焚き循環路内の洗浄を行うことを選択するか否かを報知するための概略制御ブロック図である。
【図３】給湯器付風呂装置が備える風呂給湯器のコントローラが実行する処理に関する第１フローチャートである。
【図４】その第２フローチャートである。
【発明を実施するための形態】
【０００９】
本発明の実施形態を図１ないし図４を参照しつつ説明する。図１には本発明の実施形態の給湯器付風呂装置１の概略システム図を示した。この給湯器付風呂装置１は、風呂給湯器２と、浴室３に設置された浴槽４とを備えている。風呂給湯器２内には、図示しない第１バーナが配設されている。風呂給湯器２内で前記第１バーナの燃焼ガスの上流側に顕熱回収用熱交換器（図示せず。）が配設され、前記燃焼ガスの下流側に潜熱回収用熱交換器７（図１参照。）が配設されている。この顕熱回収用熱交換器は前記燃焼ガスの顕熱を回収する。一方、潜熱回収用熱交換器７は燃焼ガスの顕熱及び潜熱を回収する。そして風呂給湯器２内には、顕熱回収用熱交換器と潜熱回収用熱交換器７とを備えた給湯回路が形成されている。この給湯回路では、図示しない給水管が潜熱回収用熱交換器７の入口側に接続され、該潜熱回収用熱交換器７の出口側が、前記顕熱回収用熱交換器の入口側に接続されている。これに加えて、該顕熱回収用熱交換器の出口側に出湯管（図示せず。）が接続されている。なお、顕熱回収用熱交換器及び潜熱回収用熱交換器７は本発明の熱交換部の一例である。
【００１０】
一方、風呂給湯器２内には、図示しない第２バーナが配設されている。風呂給湯器２内で第２バーナの上側には、図１に示す追い焚き熱交換器１０が配設されている。この追い焚き熱交換器１０は、浴槽４に接続される追い焚き循環路１１に設けられている。追い焚き循環路１１は、往き管１２と戻り管１３とによって形成されている。この往き管１２は、風呂循環ポンプ１４の吐出口側に接続されている。さらに往き管１２には、該往き管１２内を湯水が流通するときにオン状態となる水流スイッチ１５が設けられている。加えて往き管１２には、該往き管１２内を流通する湯水の温度を検出するサーミスタ１６が設けられている。また、往き管１２の途中には第１三方切替弁１７が接続されている。この第１三方切替弁１７には、浴室３と連通する排出路１８が接続されている。この第１三方切替弁１７によって、往き管１２と戻り管１３とが連通する状態と、往き管１２と排出路１８とが連通して往き管１２と戻り管１３とが連通しない状態と、に切り替え可能に構成されている。
【００１１】
図１に示すように戻り管１３は、風呂循環ポンプ１４の吸込口側に接続されている。加えて戻り管１３には、該戻り管１３内を流通する湯水の温度を検出するサーミスタ２５が設けられている。また、戻り管１３の途中には第２三方切替弁２６が接続されている。この第２三方切替弁２６には、本発明の接続路としての注湯路２７の一端側が接続されている。また注湯路２７の他端側は出湯管に接続可能とされている。この注湯路２７の他端側には、出湯管を開閉可能な電磁弁２８が設けられている。さらに注湯路２７には、追い焚き循環路１１から注湯路２７への逆流や後述するドレン導出路４２から注湯路２７への逆流を防止する逆止弁２９と、注湯路２７から出湯管への逆流を防止する逆止弁３０とが設けられている。これに加えて注湯路２７には、該注湯路２７内の湯水の流量を検出する流量センサ３１が設けられている。この注湯路２７の途中には、第３三方切替弁３２が接続されている。
【００１２】
図１に示すように潜熱回収用熱交換器７の下側には、中和器３５が設けられている。この中和器３５では、潜熱回収用熱交換器７で発生した酸性のドレンが中和される。そして、中和器３５の出口にはドレン排出管３６が接続されており、このドレン排出管３６の出口側はドレンタンク３７と接続されている。このドレンタンク３７には、中和器３５によって中和されたドレンが一時的に貯留される。さらにドレンタンク３７には、該ドレンタンク３７内のドレン水位を検出する水位センサ３８〜４０と、オーバーフローレベルを超えたドレンをドレンタンク３７の外部に排出するオーバーフロー用排出口４１とが設けられている。加えてドレンタンク３７の下部には、該ドレンタンク３７に貯留されたドレンを追い焚き循環路１１側へ導くためのドレン導出路４２の一端側が接続されている。このドレン導出路４２の他端側は前記第３三方切替弁３２（図１参照。）と接続されている。またドレン導出路４２には、注湯路２７からドレンタンク３７への逆流を防止する逆止弁４３が設けられている。
【００１３】
また図１に示すように第１三方切替弁１７には、送受信回路や電源回路等を備えた電気回路基板４５が接続されている。この電気回路基板４５には、風呂リモコン４６と、風呂給湯器２に備えられたコントローラ４７とが接続されている。本実施形態では、後述するように、ユーザが風呂リモコン４６の排出開始スイッチ４８をオン操作すると、コントローラ４７が、風呂リモコン４６から電気回路基板４５を介して排出開始指令信号を受信することで、出湯管から注湯路２７を介して追い焚き循環路１１に湯水が通るように各三方切替弁１７，２６，３２を切替操作して、追い焚き循環路１１内を洗浄する。
【００１４】
図２には、本実施形態の給湯器付風呂装置１が、ユーザに、追い焚き循環路１１内の洗浄を行うことを選択するか否かを報知するための概略制御ブロック図を示した。図２に示すように給湯器付風呂装置１は、風呂給湯器２のコントローラ４７（図１参照。）に備えられたメイン基板５１と、例えば台所に設置されて風呂給湯器２を遠隔操作可能な給湯リモコン５２と、浴室３（図１参照。）に設置されて風呂給湯器２を遠隔操作可能な風呂リモコン４６とを備えている。
【００１５】
メイン基板５１は、電源検知回路５４と、第１演算処理部５５と、第１通信回路５６と、記憶部５７とを備えている。電源検知回路５４は第１演算処理部５５に接続されている。電源検知回路５４は、風呂給湯器２の電源コードが商用交流電源のコンセントに挿入されて風呂給湯器２が通電状態であることを検知するために用いられる。第１演算処理部５５は、第１通信回路５６と、記憶部５７とに接続されている。第１通信回路５６は、給湯リモコン５２や風呂リモコン４６に各種の信号を送信したり、各リモコン４６，５２から送信された各種の信号を受信するために用いられる。記憶部５７には、後述する追い焚き循環路１１内の洗浄を行うことを選択するか否かを報知する処理を実行するプログラムが記憶されている。また、記憶部５７には、後述するドレンの排出等が中断したこと識別する異常発生データが記憶可能とされている。
【００１６】
図２に示すように給湯リモコン５２は、第２通信回路５８と、第２演算処理部５９と、音声制御回路６０と、スピーカ６１と、ランプ制御回路６２と、ＬＥＤ（発光ダイオード）６３とを備えている。第２通信回路５８は、メイン基板５１の第１通信回路５６及び給湯リモコン５２の第２演算処理部５９に接続されている。第２通信回路５８は、前記第１通信回路５６に各種の信号を送信したり、該第１通信回路５６から送信された各種の信号を受信するために用いられる。第２演算処理部５９には音声制御回路６０が接続され、この音声制御回路６０にはスピーカ６１が接続されている。音声制御回路６０は、第２演算処理部５９からの指令信号に基づいてスピーカ６１から音声を発するように制御する。加えて第２演算処理部５９にはランプ制御回路６２が接続され、このランプ制御回路６２にはＬＥＤ６３が接続されている。ランプ制御回路６２は、第２演算処理部５９からの指令信号に基づいてＬＥＤ６３を点灯させるように制御する。
【００１７】
さらに図２に示すように風呂リモコン４６は、第３通信回路６５と、第３演算処理部６６と、音声制御回路６０と、スピーカ６１と、ランプ制御回路６２と、ＬＥＤ６３とを備えている。ここでは、給湯リモコン５２が備えるものと同一の構成は同一の符号を付しその説明を簡略化する。第３通信回路６５は、メイン基板５１の第１通信回路５６及び風呂リモコン４６の第３演算処理部６６に接続されている。第３通信回路６５は、前記第１通信回路５６に各種の信号を送信したり、該第１通信回路５６から送信された各種の信号を受信するために用いられる。第３演算処理部６６には音声制御回路６０及びランプ制御回路６２が接続されている。音声制御回路６０にはスピーカ６１が接続されて、ランプ制御回路６２にはＬＥＤ６３が接続されている。
【００１８】
次に、図３及び図４を用い、メイン基板５１の第１演算処理部５５が、ユーザに、追い焚き循環路１１内の洗浄を行うことを選択するか否かを報知する処理等の例を説明する。第１演算処理部５５は、所定の時間毎に記憶部５７（図２参照。）に記憶されたプログラムに基づいて、図３及び図４に示すスタートからエンドまでの処理を繰り返し実行する。図３に示すように第１演算処理部５５は、風呂給湯器２の電源が投入されているか否かを判断する（Ｓ１）。ここでは、風呂給湯器２の電源コードが商用交流電源のコンセントに挿入されて風呂給湯器２が通電状態になることで、第１演算処理部５５が、図２に示す電源検知回路５４から電圧検知信号を受信したか否かを判断する。Ｓ１において、第１演算処理部５５が前記電圧検知信号を受信して前記電源が投入されていると判断した場合には、給湯リモコン５２の運転スイッチがオン状態であるか否かを判断する（Ｓ２）。ここでは、第１演算処理部５５が、給湯リモコン５２から運転スイッチのオン信号を受信したか否かを判断する。
【００１９】
Ｓ２において、第１演算処理部５５が前記オン信号を受信して給湯リモコン５２の運転スイッチがオン状態であると判断した場合には、例えば住宅に風呂給湯器２を設置して通水試験を行う場合のように、風呂給湯器２の電源投入が１回目であるか否かを判断する（Ｓ３）。ここでは、第１演算処理部５５が電源検知回路５４から１回目の電圧検知信号を受信したことで数値が「０」から「１」に切り替わる初期フラグが「０」であるか否かを判断する。Ｓ３において、電源投入が１回目であると判断した場合には、第１排出動作選択報知処理（Ｓ４）を実行する。第１排出動作選択報知処理（Ｓ４）では、以下に説明するように、図２に示す給湯リモコン５２のスピーカ６１から「洗浄を行いますか」という音声を発することと、給湯リモコン５２のＬＥＤ６３を所定時間に亘って点灯させることとの双方を行うようにしている。このように本実施形態では、「洗浄を行いますか」という音声でユーザに、追い焚き循環路１１内の洗浄を選択するか否かを知らせることができる。加えて、ＬＥＤ６３を所定時間に亘って点灯させることでユーザに、追い焚き循環路１１内の洗浄を選択するか否かを知らせることができる。よって、スピーカ６１が発する音声とＬＥＤ６３の点灯との双方によって、ユーザに、追い焚き循環路１１内の洗浄が選択可能であることを分かり易く知らせることができる。なお、給湯リモコン５２のスピーカ６１は本発明の報知手段及び発音装置の一例であり、給湯リモコン５２のＬＥＤ６３は本発明の報知手段及び発光装置の一例である。
【００２０】
具体的にはこの第１排出動作選択報知処理（Ｓ４）では、以下に説明する処理を実行する。図２に示す第２演算処理部５９が、第１演算処理部５５から第１及び第２通信回路５６，５８を通じて電源投入が１回目であることを知らせる状態報知信号を受信すると、該第２演算処理部５９が音声出力指令信号を給湯リモコン５２の音声制御回路６０に送信する。続いて、音声制御回路６０が音声信号をスピーカ６１に送信して、スピーカ６１から「洗浄を行いますか」という音声を発するようにしている。加えて、前記状態報知信号を受信した第２演算処理部５９が、点灯指令信号を給湯リモコン５２のランプ制御回路６２に送信する。その後に、ランプ制御回路６２が点灯制御信号をＬＥＤ６３に送信して、ＬＥＤ６３を所定時間に亘り点灯させるようにしている。
【００２１】
第１排出動作選択報知処理（Ｓ４）の後には、ユーザが給湯リモコン５２に設けられた排出開始スイッチをオン操作することで、該排出開始スイッチがオン状態になっているかか否かを判断する（Ｓ５）。ここでは、第１演算処理部５５が、給湯リモコン５２から排出開始スイッチのオン信号を受信したか否かを判断する。Ｓ５において、第１演算処理部５５が前記オン信号を受信して給湯リモコン５２の排出開始スイッチがオン状態であると判断した場合には、排出運転処理（Ｓ６）を実行する。排出運転処理（Ｓ６）では、以下に説明するように、図１に示すドレンタンク３７内のドレンを、浴室３に設けられて浴槽４の下側に配置される防水パン（図示せず。）によって受けた後に浴室３の外部に排出することと、このドレンの排出後に出湯管からの湯水によって追い焚き循環路１１内を洗浄することとの双方を行う。なお、給湯リモコン５２の排出開始スイッチは本発明の選択手段の一例である。
【００２２】
具体的にはこの排水運転処理（Ｓ６）では、以下に説明する処理を実行する。第１演算処理部５５によって、図１に示す第２及び第３三方切替弁２６，３２に駆動指令信号が送信されることで、第３三方切替弁３２を切り替えて、この第３三方切替弁３２を介してドレン導出路４２と注湯路２７とを接続すると共に、第２三方切替弁２６を切り替えて、この第２三方切替弁２６を介して注湯路２７と追い焚き循環路１１とを接続する。これに加えて、第１演算処理部５５によって、図１に示す第１三方切替弁１７に駆動指令信号が送信されることで、第１三方切替弁１７を切り替えて、この第１三方切替弁１７を介して追い焚き循環路１１（往き管１２）と排出路１８とを接続する。その後に第１演算処理部５５が、図１に示す風呂循環ポンプ１４に駆動信号を送信することで、該風呂循環ポンプ１４を駆動させる。すると、ドレンタンク３７内のドレンが、ドレン導出路４２と注湯路２７と追い焚き循環路１１とを順番に流通した後に、排出路１８及び浴室３内の防水パンに設けられた排出部を通じて浴室３の外部に排出される。
加えて、ドレンが浴室３の外部に排出された後に、第１演算処理部５５によって、第３三方切替弁３２に駆動指令信号が送信されることで、第３三方切替弁３２を切り替えて、第３三方切替弁３２を介して出湯管と注湯路２７とを接続する。そして、第１演算処理部５５によって電磁弁２８に駆動指令信号を送信して該電磁弁２８を開弁した後に、第１演算処理部５５によって風呂循環ポンプ１４に駆動指令信号を送信して該風呂循環ポンプ１４を駆動させる。これにより、出湯管から湯水を、注湯路２７を介して追い焚き循環路１１内に流通させる。したがって、この湯水により追い焚き循環路１１内を洗浄できる。なお、第１演算処理部５５は本発明のドレン排出制御手段及び洗浄制御手段の一例である。
【００２３】
一方Ｓ５において、ユーザが給湯リモコン５２の排出開始スイッチをオン操作せず、該排出開始スイッチがオフ状態であると判断した場合には、待機運転処理（Ｓ７）を実行する。
【００２４】
具体的にはこの待機運転処理（Ｓ７）では、以下に説明する処理を実行する。第１演算処理部５５によって、各三方切替弁１７，２６，３２に駆動指令信号を送信することで、第３三方切替弁３２を介して出湯管と注湯路２７とを接続し、第２三方切替弁２６を介して注湯路２７と追い焚き循環路１１とを接続し、第１三方切替弁１７を介して往き管１２と戻り管１３とを連通させる。この状態を保持したまま、第１演算処理部５５が指令信号の受信を待つ待機状態を継続する。
本実施形態では、第１演算処理部５５は、上述したＳ２の判断により給湯リモコン５２の運転スイッチがオン状態であると判断すると、電磁弁２８に駆動指令信号を送信して該電磁弁２８を開弁する。このように前記運転スイッチがオン状態の場合には、風呂給湯器２内に配設した第１バーナの燃焼によって給湯回路で生成された湯を、給湯管から注湯路２７、追い焚き循環路１１を通じて設定水位に到達するまで浴槽４に供給する。
【００２５】
また図３中のＳ３において、風呂給湯器２の電源投入が１回目でないと判断した場合には、排出運転処理（Ｓ６）で実行するドレンの排出が中断あるいは追い焚き循環路１１内の洗浄が中断したか否かを判断する（Ｓ８）。ここでは第１演算処理部５５により、例えば風呂給湯器２の故障によってドレンの排出等が中断した際に該第１演算処理部５５によって図１に示す記憶部５７に記憶させる異常発生データが、該記憶部５７に記憶されているか否かを判断する。Ｓ８において、第１演算処理部５５が、記憶部５７に異常発生データが記憶されていると判別し、前記ドレンの排出の中断や前記洗浄の中断があったと判断した場合には、上述した第１排出動作選択報知処理（Ｓ４）、前記Ｓ５の判断、排出運転処理（Ｓ６）あるいは待機運転処理（Ｓ７）を順次実行する。これに対し、Ｓ８においてドレンの排出等の中断がなかったと判断した場合には、上述した待機運転処理（Ｓ７）を実行する。
【００２６】
上記のＳ２において給湯リモコン５２の運転スイッチがオン状態ではなくオフ状態と判断した場合には、図１に示す風呂リモコン４６の運転スイッチがオン状態であるか否かを判断する（Ｓ１０）。ここでは、第１演算処理部５５が、風呂リモコン４６から運転スイッチのオン信号を受信したか否かを判断する。Ｓ１０において、第１演算処理部５５が前記オン信号を受信せず風呂リモコン４６の運転スイッチがオフ状態であると判断した場合には、前記Ｓ１の判断に戻る処理を実行する。一方Ｓ１０において、第１演算処理部５５が前記オン信号を受信して風呂リモコン４６の運転スイッチがオン状態であると判断した場合には、図４に示すように風呂給湯器２の電源投入が１回目であるか否かを判断する（Ｓ１１）。ここでは、図３中のＳ３と同様な判断がされる。
【００２７】
Ｓ１１において、電源投入が１回目であると判断した場合には、第２排出動作選択報知処理（Ｓ１２）を実行する。第２排出動作選択報知処理（Ｓ１２）では、図２に示す風呂リモコン４６のスピーカ６１から「洗浄を行いますか」という音声を発することと、風呂リモコン４６のＬＥＤ６３を所定時間に亘って点灯させることとの双方を行うようにしている。具体的には第２排出動作選択報知処理（Ｓ１２）では、図２に示す第３演算処理部６６が、第１演算処理部５５から第１及び第３通信回路５６，６５を通じて電源投入が１回目であることを知らせる状態報知信号を受信する。その後には、上述した第１排出動作選択報知処理（Ｓ４）と同様にして、風呂リモコン４６のスピーカ６１から「洗浄を行いますか」という音声を発すると共に、風呂リモコン４６のＬＥＤ６３を所定時間に亘り点灯させる。これにより、上述した第１排出動作選択報知処理（Ｓ４）と同様に、ユーザに、追い焚き循環路１１内の洗浄が選択可能であることを分かり易く知らせることができる。なお、風呂リモコン４６のスピーカ６１は本発明の報知手段及び発音装置の一例であり、風呂リモコン４６のＬＥＤ６３は本発明の報知手段及び発光装置の一例である。
【００２８】
第２排出動作選択報知処理（Ｓ１２）の後には、ユーザが風呂リモコン４６に設けられた排出開始スイッチ４８（図１参照。）をオン操作することで、該排出開始スイッチ４８がオン状態になっているか否かを判断する（Ｓ１３）。ここでは、第１演算処理部５５が、風呂リモコン４６から排出開始スイッチ４８のオン信号を受信したか否かを判断する。Ｓ１３において、第１演算処理部５５が前記オン信号を受信して排出開始スイッチ４８がオン状態であると判断した場合には、排出運転処理（Ｓ１４）を実行する。この排出運転処理（Ｓ１４）では、上述した排出運転処理（Ｓ６）と同様の処理がされる。一方Ｓ１３において、ユーザが排出開始スイッチ４８をオン操作せず、該排出開始スイッチ４８がオフ状態であると判断した場合には、待機運転処理（Ｓ１５）を実行する。この待機運転処理（Ｓ１５）では、上述した待機運転処理（Ｓ７）と同様の処理がされる。なお、風呂リモコン４６の排出開始スイッチ４８は本発明の選択手段の一例である。
【００２９】
また図４中のＳ１１において、風呂給湯器２の電源投入が１回目でないと判断した場合には、図３中のＳ８と同様に、ドレンの排出が中断あるいは追い焚き循環路１１内の洗浄が中断したか否かを判断する（Ｓ１６）。Ｓ１６において、ドレンの排出の中断あるいは前記洗浄の中断があったと判断した場合には、上述した第２排出動作選択報知処理（Ｓ１２）、前記Ｓ１３の判断、排出運転処理（Ｓ１４）あるいは待機運転処理（Ｓ１５）を順次実行する。これに対し、Ｓ１６においてドレンの排出等の中断がなかったと判断した場合には、上述した待機運転処理（Ｓ１５）を実行する。
【００３０】
＜本実施形態の効果＞
本実施形態の給湯器付風呂装置１では、ユーザは、風呂リモコン４６に備えられたスピーカ６１が発する「洗浄を行いますか」という音声や、給湯リモコン５２に備えられたスピーカ６１が発する「洗浄を行いますか」という音声を確認することで、追い焚き循環路１１内の洗浄を選択できることを簡単に知ることができる。
加えて、ユーザは、風呂リモコン４６に備えられたＬＥＤ６３の点灯や、給湯リモコン５２に備えられたＬＥＤ６３の点灯を確認することでも、追い焚き循環路１１内の洗浄を選択できることを簡単に知ることができる。
【００３１】
さらに、ユーザは、風呂リモコン４６に設けられた排出開始スイッチ４８や、給湯リモコン５２に設けられた排出開始スイッチを用いることで、追い焚き循環路１１内の洗浄を行うか否かを自由に選択できる。よって、例えばユーザが、前記洗浄を必要としない場合には、風呂リモコン４６の排出開始スイッチ４８や給湯リモコン５２の排出開始スイッチを操作せずに追い焚き循環路１１内の洗浄を選択しなければ、従来のような風呂給湯器２の電源投入後や、ドレンの排出の中断後あるいは前記洗浄の中断後に必ず前記洗浄が行われる場合と比較して、前記洗浄に要する時間や前記洗浄に費やす湯水を無駄にすることを防止できる。このように本実施形態では、ユーザが追い焚き循環路１１内の洗浄を行うか否かを選択可能としたことで、従来とは異なり、風呂給湯器２の電源投入後に必ず追い焚き循環路１１内の洗浄を行うことが原因で、出湯までの時間や浴槽４の湯張りが終わるまでの時間が延びるという問題点を解消できる。よって、ユーザの利便性を向上させることができる。
【００３２】
本発明は、上述した実施形態に限定されるものではなく発明の趣旨を逸脱しない範囲内において構成の一部を適宜変更して実施できる。上述した実施形態では、ユーザに追い焚き循環路１１の洗浄が選択可能であることを知らせるために、各スピーカ６１から音声を発することと、各ＬＥＤ６３を点灯させることとの双方を行うようにしたが、これに限らない。例えば、各スピーカ６１から音声を発するだけで、ユーザに前記洗浄が選択可能であることを知らせたり、各ＬＥＤ６３の点灯だけで、ユーザに前記洗浄が選択可能であることを知らせてもよい。
【００３３】
また、ユーザに前記洗浄が選択可能であることを知らせる際の各ＬＥＤ６３の発光態様を、点灯に限らず点滅に変更してもよい。さらに、ＬＥＤ６３に代えてランプ等を点灯あるいは点滅させることで、ユーザに追い焚き循環路１１の洗浄が選択可能であることを知らせてもよい。加えて上述した実施形態とは異なり、スピーカ６１やＬＥＤ６３に代えて、風呂リモコン４６や給湯リモコン５２に表示部を設けて、例えばこの表示部に「洗浄を行いますか」という文字を表示することで、ユーザに前記洗浄が選択可能であることを知らせてもよい。さらには風呂リモコン４６や給湯リモコン５２に、スピーカ６１やＬＥＤ６３に加えて前記表示部を設けてもよい。また、上述した実施形態では、第３三方切替弁３２を介してドレン導出路４２と注湯路２７とを接続可能としたが、これに代えて、三方切替弁を介してドレン導出路４２と追い焚き循環路１１とを接続可能としてもよい。さらに、上述した実施形態では、風呂リモコン４６の排出開始スイッチ４８や給湯リモコン５２の排出開始スイッチをオン状態にすると、ドレンを浴室３の外部に排出することと、追い焚き循環路１１内を洗浄することとの双方を行うようにしたが、これに限らない。例えば、風呂リモコン４６の排出開始スイッチ４８や給湯リモコン５２の排出開始スイッチをオン状態にした場合に、追い焚き循環路１１の洗浄のみを行うようにしてもよい。加えて上述した実施形態では、風呂給湯器２内に、顕熱回収用熱交換器と潜熱回収用熱交換器７とを別体にして設けた例を示したが、これに限らず、顕熱回収用熱交換器と潜熱回収用熱交換器７とを一体にして風呂給湯器２内に設けてもよい。
【符号の説明】
【００３４】
１・・給湯器付風呂装置、４・・浴槽、７・・潜熱回収用熱交換器、１１・・追い焚き循環路、２７・・注湯路、４２・・ドレン導出路、５５・・第１演算処理部、６１・・スピーカ、６３・・ＬＥＤ（発光ダイオード）。
【図１】
2015075238.tif 000003
【図２】
2015075238.tif 000004
【図３】
2015075238.tif 000005
【図４】
2015075238.tif 000006